【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
１つまたは複数の材料を容器にディスペンスするディスペンシングモジュールと、前記容器内の前記材料をブレンドおよび／またはミックスするブレンディング／ミキシングモジュールとを有する統合型飲料システムのためのコントローラにおいて、
前記コントローラは、
同時的に、一方の容器において第１の飲料を準備し、他方の容器において第２の飲料を準備するために、前記ディスペンシングモジュールおよび前記ブレンディング／ミキシングモジュールを制御するコントローラ装置を有することを特徴とする、コントローラ。
【請求項２】
前記コントローラ装置は、前記第１の飲料に関する１つまたは複数の材料の第１のセットを第１の容器にディスペンスする前記ディスペンシングモジュールを制御し、続いて、前記第１の容器内の材料の前記第１のセットをブレンドおよび／またはミックスするための前記ブレンディング／ミキシングモジュールを制御し、かつ、同時的に、前記第２の飲料に関する１つまたは複数の材料の第２のセットの第２の容器へのディスペンシングを開始するために前記ディスペンシングモジュールを制御する、請求項１記載のコントローラ。
【請求項３】
前記コントローラ装置は、ユーザによって操作される入力装置から受け取った飲料リクエストに基づき、前記ディスペンシングモジュールおよび前記ブレンディング／ミキシングモジュールを制御する、請求項１記載のコントローラ。
【請求項４】
前記コントローラ装置は、氷と液体を同時にディスペンスするため、または、層状のやり方で、氷の層および液体の層をディスペンスし、選択的には氷および／または液体の別の層をディスペンスするために、前記ディスペンシングモジュールを制御する、請求項１記載のコントローラ。
【請求項５】
前記ディスペンシングモジュールは複数の貯蔵容器を有し、
複数ある前記材料は別個に前記貯蔵容器のうちの１つに貯蔵されており、
前記コントローラ装置は、複数の材料のうちの少なくとも１つを対応する貯蔵容器から前記第１の容器または前記第２の容器へと供給するために前記ディスペンシングモジュールを制御する、請求項１記載のコントローラ。
【請求項６】
前記ディスペンシングモジュールはさらに、前記貯蔵容器に対してただ１つのディスペンシングノズルを有し、
前記コントローラ装置は、選択された材料を別個の貯蔵容器から別個の供給経路を介して前記ノズルに供給して、前記第１の容器または前記第２の容器にディスペンシングするために前記ディスペンシングモジュールを制御する、請求項１記載のコントローラ。
【請求項７】
前記コントローラ装置は、第１のレシピスクリプトおよび第２のレシピスクリプトに基づいて前記第１の飲料および前記第２の飲料をそれぞれ準備するために、前記ディスペンシングモジュールおよび前記ブレンディング／ミキシングモジュールを制御する複数のマイクロコントローラを有する、請求項１記載のコントローラ。
【請求項８】
前記第１のレシピスクリプトおよび前記第２のレシピスクリプトは、飲料容器サイズと、ユーザが選択した飲料と、オプションとしての液体のタイプおよび量と、オプションとしての添加物のタイプおよび量と、ブレンダプロフィールと、オプションとしてのミキサプロフィールと、種々の添加物および第１の材料に関する作業者の指示としての選択可能な要素を含み、
前記マイクロコントローラのうちの少なくとも１つは、前記飲料容器サイズと、前記第１の材料と、前記ユーザが選択した飲料タイプとに基づき、前記第１の材料を分配するために前記ディスペンシングモジュールを制御する、請求項７記載のコントローラ。
【請求項９】
前記マイクロコントローラは、
前記第１のレシピスクリプトおよび前記第２のレシピスクリプトを提供するためにユーザ入力装置を介して入力されたユーザデータに応答する第１のマイクロコントローラと、
材料の第１のセットの第１の容器へのディスペンシングおよび材料の第２のセットの第２の容器へのディスペンシングそれぞれについて前記ディスペンシングモジュールを制御するために、前記第１のレシピスクリプトおよび前記第２のレシピスクリプトを使用する第２のマイクロコントローラと、
前記第１の容器内の材料の第１のセットおよび前記第２の容器内の材料の第２のセットをブレンドおよび／またはミックスし、前記第１の飲料および前記第２の飲料をそれぞれ作成するために、前記第１のレシピスクリプトおよび前記第２のレシピスクリプトを使用する第３のマイクロコントローラとを有する、請求項７記載のコントローラ。
【請求項１０】
前記ブレンディング／ミキシングモジュールは、回転可能であり、かつ、実質的に垂直方向において前記飲料容器に出入りするよう移動可能であるスピンドルアセンブリを有し、
前記第３のマイクロコントローラは、前記スピンドルアセンブリを回転させる第１のモータと、前記スピンドルアセンブリを垂直方向に移動させる第２のモータとを駆動させるために、前記第１のスクリプトまたは前記第２のスクリプトを使用する、請求項９記載のコントローラ。
【請求項１１】
前記材料の１つは氷であり、
前記第３のマイクロコントローラは、前記スピンドルアセンブリを回転させ、第１のやり方では氷の粒子サイズを粗いものから細かいものに砕くため、および／または、第２のやり方では氷を粗い粒子のサイズに留めるために前記第１のスクリプトまたは前記第２のスクリプトを使用する、請求項９記載のコントローラ。
【請求項１２】
前記第１のスクリプトまたは前記第２のスクリプトは、前記飲料容器サイズ、前記飲料容器における複数のブレンドレベルの各々に関する速度および停滞時間を含み、
前記第３のマイクロコントローラは、前記スピンドルアセンブリの実質的に垂直方向の各レベルへの移動を制御するため、かつ、前記第１のスクリプトまたは前記第２のスクリプトにしたがう各レベルに関する速度でもって、また各レベルに関する停滞時間にわたり、該各レベルにおいてブレードを回転させるために前記第１のスクリプトまたは前記第２のスクリプトを使用する、請求項９記載のコントローラ。
【請求項１３】
前記ブレンディング／ミキシングモジュールはさらにドアと少なくとも１つの位置センサとを有し、
前記位置センサは、スピンドルアセンブリ定位置、ドア開放位置、スピンドルアセンブリ定位置かつドア開放位置からなるグループから選択される、請求項９記載のコントローラ。
【請求項１４】
前記ブレンディング／ミキシングモジュールはさらにクリーニングアセンブリを有し、
前記第１のスクリプトまたは前記第２のスクリプトを使用する前記第３のマイクロコントローラは、前記ブレンディング／ミキシングモジュールから前記飲料が取り出された後に、前記ブレンディング／ミキシングモジュール内にクリーニング液および／または消毒液を噴射するために前記クリーニングアセンブリを操作する、請求項９記載のコントローラ。
【請求項１５】
前記クリーニングアセンブリは、前記クリーニング液および／または前記消毒液を噴射するために配置されているスプレー装置と、クリーニング液および／または消毒液弁と、供給管を前記スプレー装置に接続する空気弁とを有し、
前記第３のマイクロコントローラは、管路を介して前記スプレー装置に前記クリーニング液および／または前記消毒液が供給されるよう前記クリーニング液および／または消毒液弁を操作するため、かつ、空気を前記管路に噴射して前記ブレンディング／ミキシングモジュール内の前記クリーニング液および／または前記消毒液の流速が高まるよう前記空気弁を操作するために前記スクリプトを使用する、請求項９記載のコントローラ。
【請求項１６】
前記クリーニングアセンブリはスピンドルアセンブリを有し、
前記第３のマイクロコントローラは、前記ブレンディング／ミキシングモジュール内へと前記スピンドルアセンブリを降下させて、前記ブレンディング／ミキシングモジュール内での前記クリーニング液および／または前記消毒液の到達範囲を拡大するために前記第１のスクリプトまたは前記第２のスクリプトに応答する、請求項１５記載のコントローラ。
【請求項１７】
前記ブレンディング／ミキシングモジュールは第１のブレンディング／ミキシングモジュールであり、
前記統合型飲料システムはさらに第２のブレンディング／ミキシングモジュールを有し、
前記コントローラ装置は、前記第１のブレンディング／ミキシングモジュールおよび前記第２のブレンディング／ミキシングモジュールを制御することによって前記第１の飲料および前記第２の飲料を同時に準備し、前記ディスペンシングモジュールを時間的に共有するためにプログラムを実行する、請求項１記載のコントローラ。
【請求項１８】
前記統合型飲料システムはさらに対話型ディスプレイを有し、
前記プログラムによって、前記コントローラ装置は、一連の対話型画面を前記ディスプレイに表示し、前記第１の飲料および前記第２の飲料に関する材料の第１のセットおよび第２のセットを規定するために、前記対話型画面を介したユーザ入力に応答し、前記第１の飲料および前記第２の飲料に関する第１のスクリプトおよび第２にスクリプトをそれぞれ提供し、時間を共有することを基礎として、前記ディスペンシングモジュールを制御して、材料の第１のセットおよび材料の第２のセットを第１の容器および第２の容器にそれぞれディスペンスするために前記第１のスクリプトおよび前記第２のスクリプトを使用する、請求項１７記載のコントローラ。
【請求項１９】
１つまたは複数の材料を飲料容器にディスペンスするディスペンシングモジュールと、前記飲料容器内の前記材料をブレンドおよび／またはミックスするブレンディング／ミキシングモジュールとを有する統合型飲料システムを制御する方法において、
前記方法は、
同時的に第１の飲料および第２の飲料を準備するために、前記ディスペンシングモジュールおよび前記ブレンディング／ミキシングモジュールを制御するステップを有することを特徴とする、統合型飲料システムを制御する方法。
【請求項２０】
さらに、
前記第１の飲料に関する１つまたは複数の材料の第１のセットを第１の容器にディスペンスする前記ディスペンシングモジュールを制御するステップと、
前記第１の容器内の材料の第１のセットをブレンドおよび／またはミックスするために前記ブレンディング／ミキシングモジュールを制御するステップと、
前記ブレンディング／ミキシングモジュールの制御と同時に、前記材料の第１のセットを前記ブレンディング／ミキシングモジュールにおいてブレンドしながら、前記第２の飲料に関する１つまたは複数の材料の第２のセットの第２の容器へのディスペンシングを開始するために前記ディスペンシングモジュールを制御するステップとを有する、請求項１９記載の方法。
【請求項２１】
ユーザによって操作される入力装置から受け取った飲料リクエストに基づき、前記ディスペンシングモジュールおよび前記ブレンディング／ミキシングモジュールを制御する、請求項１９記載の方法。
【請求項２２】
氷と液体を同時にディスペンスするため、または、層状のやり方で、氷の層および液体の層をディスペンスし、選択的には氷および／または液体の別の層をディスペンスするために、前記ディスペンシングモジュールを制御する、請求項１９記載の方法。
【請求項２３】
コントローラ装置が、前記統合型飲料システムの１つまたは複数のセンサとのコネクションを介して、前記統合型飲料システムの状態を監視する、請求項１９記載の方法。
【請求項２４】
前記ディスペンシングモジュールは複数の貯蔵容器を有し、
複数ある前記材料は別個に前記貯蔵容器のうちの１つに貯蔵されており、
複数の材料のうちの少なくとも１つを対応する貯蔵容器から前記第１の容器または前記第２の容器へと供給するために前記ディスペンシングモジュールを制御する、請求項１９記載の方法。
【請求項２５】
前記ディスペンシングモジュールはさらに、前記貯蔵容器に対して少なくとも１つのディスペンシングノズルを有し、
前記方法はさらに、
選択された材料を別個の貯蔵容器から別個の供給経路を介して前記ノズルに供給して、前記第１の容器または前記第２の容器にディスペンシングする前記ノズル供給するために前記ディスペンシングモジュールを制御するステップを有する、請求項２４記載の方法。
【請求項２６】
前記方法はさらに、
第１のレシピスクリプトおよび第２のレシピスクリプトに基づいて前記第１の飲料および前記第２の飲料をそれぞれ準備するために、前記ディスペンシングモジュールおよび前記ブレンディング／ミキシングモジュールを制御するステップを有する、請求項１９記載の方法。
【請求項２７】
前記第１のレシピスクリプトおよび前記第２のレシピスクリプトは、飲料容器サイズと、ユーザが選択した飲料と、第１の材料とを含み、
マイクロコントローラのうちの少なくとも１つは、前記飲料容器サイズと、前記第１の材料と、前記ユーザが選択した飲料タイプとに基づき、前記第１の材料を分配するために前記ディスペンシングモジュールを制御する、請求項２５記載の方法。
【請求項２８】
コントローラ装置は複数のマイクロコントローラを有し、該複数のマイクロコントローラは、第１のマイクロコントローラと、第２のマイクロコントローラと、第３のマイクロコントローラとを含み、
前記方法はさらに、
前記第１のレシピスクリプトおよび前記第２のレシピスクリプトを提供するためにユーザ入力装置を介して入力されたユーザデータに応答する前記第１のマイクロコントローラを使用するステップと、
材料の第１のセットの第１の容器へのディスペンシングおよび材料の第２のセットの第２の容器へのディスペンシングそれぞれについて前記ディスペンシングモジュールを制御するために、前記第１のレシピスクリプトおよび前記第２のレシピスクリプトを使用する前記第２のマイクロコントローラを使用するステップと、
前記第１の容器内の材料の第１のセットおよび前記第２の容器内の材料の第２のセットをブレンドおよび／またはミックスし、前記第１の飲料および前記第２の飲料をそれぞれ作成するために、前記第１のレシピスクリプトおよび前記第２のレシピスクリプトを使用する前記第３のマイクロコントローラを使用するステップとを有する、請求項２６記載の方法。
【請求項２９】
前記ブレンディング／ミキシングモジュールは、回転可能であり、かつ、実質的に垂直方向において前記飲料容器に出入りするよう移動可能であるスピンドルアセンブリを有し、
前記方法はさらに、
前記第３のマイクロコントローラを用いて、前記スピンドルアセンブリを回転させる第１のモータと、前記スピンドルアセンブリを実質的に垂直方向に移動させる第２のモータを駆動させるために、前記第１のスクリプトまたは前記第２のスクリプトを使用するステップを有する、請求項２８記載の方法。
【請求項３０】
前記材料の１つは氷であり、
前記方法はさらに、
前記第３のマイクロコントローラを用いて、前記スピンドルアセンブリを回転させ、第１のやり方では氷の粒子サイズを粗いものから細かいものに砕くため、および／または、第２のやり方では氷を粗い粒子のサイズに留めるために前記第１のスクリプトまたは前記第２のスクリプトを使用するステップを有する、請求項２８記載の方法。
【請求項３１】
前記第１のレシピスクリプトまたは前記第２のレシピスクリプトは、前記飲料容器サイズ、前記飲料容器における複数のブレンドレベルの各々に関する速度および停滞時間を含み、
前記方法はさらに、
前記第３のマイクロコントローラを用いて、前記スピンドルアセンブリを実質的に垂直方向に各レベルへと移動させるため、かつ、前記第１のスクリプトまたは前記第２のスクリプトにしたがう各レベルに関する速度でもって、また各レベルに関する停滞時間にわたり、該各レベルにおいて前記スピンドルアセンブリを回転させるために前記第１のスクリプトまたは前記第２のスクリプトを使用するステップを有する、請求項２８記載の方法。
【請求項３２】
前記ブレンディング／ミキシングモジュールはさらにクリーニングアセンブリを有し、
前記方法はさらに、
前記第３のマイクロコントローラを用いて、飲料容器から前記飲料が取り出された後に、前記飲料容器容積内にクリーニング液および／または消毒液を噴射する前記クリーニングアセンブリを操作するために前記第１のスクリプトまたは前記第２のスクリプトを使用するステップを有する、請求項２８記載の方法。
【請求項３３】
前記クリーニングアセンブリは、前記クリーニング液および／または前記消毒液を噴射するために配置されているスプレー装置と、クリーニング液および／または消毒液弁と、供給管を前記スプレー装置に接続する空気弁とを有し、
前記方法はさらに、
前記第３のマイクロコントローラを用いて、管路を介して前記スプレー装置に前記クリーニング液および／または前記消毒液が供給されるよう前記クリーニング液および／または消毒液弁を操作するため、かつ、空気を前記管路に噴射して飲料容器容積内の前記クリーニング液および／または前記消毒液の流速が高まるよう前記空気弁を操作するために前記第１のスクリプトまたは前記第２のスクリプトを使用するステップを有する、請求項３２記載の方法。
【請求項３４】
前記クリーニングアセンブリはスピンドルアセンブリを有し、
前記方法はさらに、
前記第３のマイクロコントローラを用いて、前記ブレンディング／ミキシングモジュール内へと前記スピンドルアセンブリを降下させて、前記容積内での前記クリーニング液および／または前記消毒液の到達範囲を拡大するために前記第１のスクリプトまたは前記第２のスクリプトに応答するステップを有する、請求項３３記載の方法。
【請求項３５】
前記ブレンディング／ミキシングモジュールは第１のブレンディング／ミキシングモジュールであり、
前記統合型飲料システムはさらに第２のブレンディング／ミキシングモジュールを有し、
前記方法はさらに、
コントローラ装置を用いて、前記第１のブレンディング／ミキシングモジュールおよび前記第２のブレンディング／ミキシングモジュールを制御することによって前記第１の飲料および前記第２の飲料を同時に準備し、前記ディスペンシングモジュールを時間的に共有するためにプログラムを実行するステップを有する、請求項１９記載の方法。
【請求項３６】
前記統合型飲料システムはさらに対話型ディスプレイを有し、
前記プログラムによって、前記コントローラ装置は、一連の対話型画面を前記ディスプレイに表示し、前記第１の飲料および前記第２の飲料に関する材料の第１のセットおよび第２のセットを規定するために、前記対話型画面を介したユーザ入力に応答し、前記第１の飲料および前記第２の飲料に関する第１のスクリプトおよび第２にスクリプトをそれぞれ提供し、時間を共有することを基礎として、前記ディスペンシングモジュールを制御して、材料の第１のセットおよび材料の第２のセットを第１の容器および第２の容器にそれぞれディスペンスするために前記第１のスクリプトおよび前記第２のスクリプトを使用する、請求項３５記載の方法。
【請求項３７】
１つまたは複数の選択された材料を容器にディスペンスするディスペンシングモジュールと、前記容器内の前記材料をブレンドおよび／またはミックスするブレンディング／ミキシングモジュールとを有する統合型飲料システムを制御するプログラムを有する記憶媒体において、
前記記憶媒体は、第１の飲料および第２の飲料を同時的に準備するために、前記ディスペンシングモジュールおよび前記ブレンディング／ミキシングモジュールを制御するための前記プログラムのコンピュータ装置実行命令を含むことを特徴とする、記憶媒体。
【請求項３８】
前記記憶媒体はさらに、
前記第１の飲料に関する１つまたは複数の材料の第１のセットを第１の容器にディスペンスするディスペンシングモジュールを制御するための前記プログラムのコンピュータ装置実行命令と、
前記第１の容器内の材料の第１のセットをブレンドおよび／またはミックスするために前記ブレンディング／ミキシングモジュールを制御するための前記プログラムのコンピュータ装置実行命令と、
前記ブレンディング／ミキシングモジュールの制御と同時に、材料の第１のセットを前記ブレンディング／ミキシングモジュールにおいてブレンドしながら、前記第２の飲料に関する１つまたは複数の材料の第２のセットの第２の容器へのディスペンシングを開始するために前記ディスペンシングモジュールを制御するための前記プログラムのコンピュータ装置実行命令とを有する、請求項３７記載の記憶媒体。